(57)【要約】【課題】フィンに付着した塵埃を確実に除去することができ、発熱部品からの熱の放熱効率を低下させない放熱ユニットを備えた電子機器を得ること。【解決手段】動作時に発熱する発熱部品２４を含む電子部品が収容された筐体２０ａと、前記発熱部品２４からの熱が伝達される複数のフィン３７ａを備えた放熱体３７と、前記放熱体３７に冷却風を送風するファン３１と、前記ファン３１と前記放熱体３７とを接続し、前記ファン３１の動作により生じた冷却風を前記放熱体３７に導入する接続体３６と、前記フィン３７ａの前記ファン３１に対向する側面３７ｂに対して送風する補助ファン３５とを備えた。【選択図】図３
2013250880.tif 000002
【特許請求の範囲】
【請求項１】
動作時に発熱する発熱部品を含む電子部品が収容された筐体と、
前記発熱部品からの発熱が伝達される複数のフィンを備えた放熱体と、
前記放熱体に冷却風を送風するファンと、
前記ファンと前記放熱体とを接続し、前記ファンの動作により生じた冷却風を前記放熱体に導入する接続体と、
前記フィンの前記ファンに対向する側面に対して送風する補助ファンとを備えたことを特徴とする電子機器。
【請求項２】
前記補助ファンは、前記フィンの前記ファンに対向する側面に対して、その側方から送風する請求項１に記載の電子機器。
【請求項３】
前記補助ファンが前記接続体の第１の側面に配置され、前記接続体の前記補助ファンが配置された前記第１の側面に対向する第２の側面に開口部が形成されている請求項２に記載の電子機器。
【請求項４】
前記開口部が開閉可能であり、前記補助ファンの動作時に前記開口部が開く請求項３に記載の電子機器。
【請求項５】
前記補助ファンが圧電マイクロファンである請求項１〜請求項４のいずれかに記載の電子機器。
【発明の詳細な説明】
【技術分野】
【０００１】
本発明は、動作時に発熱する発熱部品を筐体内に有する電子機器、例えば発熱部品であるＣＰＵ（中央処理装置）を備えたノートパソコン等の電子機器に関し、特に、発熱部品からの熱を外部に放出する放熱ユニットの構成に関する。
【背景技術】
【０００２】
例えば、電子機器の一例であるノートパソコンの場合、その性能向上にともなってＣＰＵ等の発熱部品からの発熱量が増大している。また、ノートパソコンの場合には携帯型機器としての小型化軽量化が求められているため、狭い筐体の内部に各種の電子部品が詰め込まれることとなり、発熱部品からの熱を効果的に筐体の外部に放出することができる、高性能な放熱ユニットを備えることが求められている。
【０００３】
このような要請に応じるために、従来、発熱部品からの熱が伝達される放熱フィンを備えた放熱体と、放熱体内に冷却風を送り込む送風手段であるファンとを備えた放熱ユニットが用いられている。この従来の放熱ユニットでは、発熱部品であるＣＰＵを直接、または、ヒートパイプなどによって間接的に、放熱体と接触させてその熱を伝え、伝達された発熱部品の熱をファンからの冷却風で筐体の外部に放出することが行われている。このような従来の放熱ユニットでは、その放熱効果をより向上させるためにフィンの表面積を大きくすることが有効であり、限られた狭い空間内に狭い形成間隔でフィンが形成されている。しかし、フィンの形成間隔を狭くすると、ファンによって供給される冷却風に含まれる細かな塵埃が、特に、フィンのファンに対向した側面に付着しやすくなる。フィンの側面に付着した塵埃は、一旦付着してしまうと急速に堆積しやすく、堆積した塵埃がフィンの隙間を埋めてしまい、ファンからの冷却風が流入する側の放熱体の面全体を覆ってしまうようになると、フィンの間隙にファンからの冷却風が送り込めなくなり、放熱ユニットの放熱効果を著しく損ねることになる。
【０００４】
このように、フィンの側面に塵埃が付着して放熱ユニットの放熱効果が損なわれることを防止するために、フィンに付着した塵埃を除去する掃除部材であるブラシを備えた放熱ユニットが提案されている（特許文献１参照）。
【０００５】
図５に、特許文献１に記載された、従来の電子機器に用いられている放熱ユニットの概略構成を示す。
【０００６】
従来の放熱ユニット１００は、冷却風を送風するファン１３１と図には現れないフィンを有する放熱体１３６とを備えている。ファン１３１からの冷却風が放熱体１３６に形成されたフィンの隙間を通って筐体１２０の外部に放出されることで、放熱体１３６に伝達された発熱部品である図示しないＣＰＵの熱が筐体１２０の外部に放出される。
【０００７】
放熱体１３６の、ファン１３１が配置された側の端部には、放熱体１３６のフィンに付着した塵埃をこすって落とすことができる掃除部材であるブラシ１３３と、このブラシ１３３を図中矢印１４１の方向に動かす回転機構１３４とが備えられている。
【０００８】
上記従来の放熱ユニット１００では、回転機構１３４を回転させる図示しない操作体を備え、この操作体をユーザが必要に応じて押し込むことにより、または、例えばノートパソコンの蓋部が閉じられる際に連動して押し込まれることにより、ブラシ１３３が矢印１４１の方向に回転してフィンの側面を掃除する。この際、ブラシ１３３によってフィンの間から除去された塵埃は、ファン１３１からの冷却風によって、筐体１２０に形成された放出口１２１から外部に放出される。
【０００９】
また、従来の放熱ユニット１００では、ファン１３１と放熱体１３６とを接続する接続体１３２の下面に開口部１３５が設けられていて、ブラシ１３３によって除去された塵埃は、開口部１３５から筐体１２０の内部に落下する。この落下した塵埃は、放熱体１３６内を経由して筐体１２０の外部に放出される冷却風の流れよりも大きな、別の流路である開口部１３５から筐体１２０内を通って放出口１２１に繋がる流路から、筐体１２０の外部に放出される。
【００１０】
なお、特許文献１には、ブラシ１３３によるフィンに付着した塵埃の除去を、電気的に制御できるモータを用いて行うことが開示されている。また、ブラシ１３３の動作するタイミングとして、ＣＰＵがシャットダウンしたことが検出された場合や、ＣＰＵの温度が一定温度以上に到達した場合、ノートパソコンの使用時間が一定時間に到達した場合などが例示されている。
【先行技術文献】
【特許文献】
【００１１】
【特許文献１】特開２００８−３０６００１号公報
【発明の概要】
【発明が解決しようとする課題】
【００１２】
上記従来の電子機器の放熱ユニット１００は、フィンに付着したファン１３１からの冷却風に含まれる塵埃を除去する掃除部材であるブラシ１３３を備え、所定のタイミングでフィンに付着した塵埃を除去できるため、フィンに大量の塵埃が堆積して冷却風の流入が妨げられるという事態を回避することかできる。
【００１３】
しかし、上記従来の放熱ユニット１００では、ブラシ１３３で付着した塵埃を除去するタイミングとして、発熱部品であるＣＰＵが動作しファン１３１から冷却風が送風されている状態を想定している。また、従来の放熱ユニット１００では、ブラシ１３３が放熱体１３６内の冷却風の流路を完全には遮らない形状として、塵埃を除去する際に冷却風が流れなくなって放熱効果が失われてしまうことを防止しているが、冷却風の流路にブラシが存在することによる放熱効率の低下は否めない。また、従来の放熱ユニット１００では、ブラシ１３３が塵埃を除去している際の冷却風の流路とするとともに、ブラシ１３３で除去された塵埃を筐体１２０の外部に放出するための流路として、ファン１３１と放熱体１３６とを接続する接続体１３２の下面に開口部１３５が設けられている。しかし、開口部１３５が設けられていることで、ファン１３１からの冷却風の一部が定常的に放熱体１３６内を通過できず、ファン１３１による冷却風を放熱体１３６の熱の放出に完全に利用できていないという点において、放熱効率の低下が常に生じていることになる。
【００１４】
このように、従来の放熱ユニット１００では、塵埃の堆積による放熱効果の大幅な低減を回避することはできるものの、ファン１３１からの冷却風を有効に利用できてはいないため、ＣＰＵが一層大きな熱を放出する近年のノートパソコンの高性能化に十分対応できるものとは言えなかった。
【００１５】
本発明は、上記従来の放熱ユニットを備えた電子機器における課題を解決するものであり、フィンに付着した塵埃を除去することができ、発熱部品からの熱の放熱効率を低下させない放熱ユニットを備えた電子機器を得ることを目的とする。
【課題を解決するための手段】
【００１６】
上記課題を解決するため本発明の電子機器は、動作時に発熱する発熱部品を含む電子部品が収容された筐体と、前記発熱部品からの発熱が伝達される複数のフィンを備えた放熱体と、前記放熱体に冷却風を送風するファンと、前記ファンと前記放熱体とを接続し、前記ファンの動作により生じた冷却風を前記放熱体に導入する接続体と、前記フィンの前記ファンに対向する側面に対して送風する補助ファンとを備えたことを特徴とする。
【発明の効果】
【００１７】
本発明の電子機器は、ファンからの冷却風を放熱体に導入する接続体と、発熱部品からの熱が伝達される放熱体のフィンに付着した塵埃を除去する補助ファンを備えている。このため、放熱体に伝達された発熱部材の熱を、ファンからの冷却風を用いて筐体の外部に効率よく放出することができる電子機器を得ることができる。
【図面の簡単な説明】
【００１８】
【図１】本実施形態にかかるノートパソコンの概略構成例を示す斜視図である。
【図２】本実施形態にかかるノートパソコンにおける放熱ユニットの主要な構成を示す分解斜視図である。
【図３】本実施形態にかかるノートパソコンの放熱ユニットの構成を示す水平断面図である。
【図４】本実施形態にかかるノートパソコンの放熱ユニットに備えられた補助ファンの形状例を示す斜視図である。
【図５】従来の放熱ユニットの構成を説明する図である。
【発明を実施するための形態】
【００１９】
本発明の電子機器は、動作時に発熱する発熱部品を含む電子部品が収容された筐体と、前記発熱部品からの発熱が伝達される複数のフィンを備えた放熱体と、前記放熱体に冷却風を送風するファンと、前記ファンと前記放熱体とを接続し、前記ファンの動作により生じた冷却風を前記放熱体に導入する接続体と、前記フィンの前記ファンに対向する側面に対して送風する補助ファンとを備える。
【００２０】
上記本発明の電子機器は、ファンと放熱体を接続する接続体が、ファンの動作により生じた冷却風を効率よく放熱体に導入する。また、発熱部品の熱が伝達される放熱体のフィンに付着した塵埃を補助ファンによって除去することができる。このため、ファンが動作して生じる冷却風を有効に放熱体のフィンからの放熱に利用することができ、また、放熱効率を低下させる原因となるフィンに付着した塵埃を除去できるので、長期間にわたって安定した放熱効果が発揮される電子機器を得ることができる。
【００２１】
上記構成の電子機器において、前記補助ファンは、前記フィンの前記ファンに対向する側面に対して、その側方から送風することが好ましい。このようにすることで、補助ファンにより、フィンのファンに対向する側面に堆積した塵埃を効果的に除去することができる。
【００２２】
この場合において、前記補助ファンが前記接続体の第１の側面に配置され、前記接続体の前記補助ファンが配置された前記第１の側面に対向する第２の側面に開口部が形成されていることが好ましい。このようにすることで、補助ファンからの送風を効率よくフィンのファンに対向する側面に吹き付けることができるとともに、フィンから除去された塵埃を接続体の外部に排出することが容易となる。
【００２３】
さらに、前記開口部が開閉可能であり、前記補助ファンの動作時に前記開口部が開くことが好ましい。このようにするとこで、補助ファンが動作していないときにはファンからの冷却風を全て放熱体に送風することができ、放熱効率を向上させることができる。
【００２４】
なお、前記補助ファンが圧電マイクロファンであることが好ましい。圧電マイクロファンは、小型化が可能で放熱ユニットが大きくなることを回避できるとともに、風力が大きくフィンに付着した塵埃を効果的に除去することができる。
【００２５】
（発明の実施の形態）
以下、本発明の実施形態として、電子機器がノートパソコンである場合を例示しながら説明する。
【００２６】
図１は、本実施の形態にかかる電子機器としてのノートパソコン１である。
【００２７】
本実施形態のノートパソコン１は、内側面に液晶パネルなどの表示デバイス１２が配置された蓋体１０が、表面にキーボード２１やポインティングデバイス２２などの入力装置が配置された本体部２０に対して、ヒンジ機構１１によって回動可能に取り付けられている。
【００２８】
本体部２０の内部には、ノートパソコン１の動作電源である図示しない二次電池や、主記録デバイスである図示しないハードディスクドライブ（ＨＤＤ）その他の電気部品が配置されている。なお、本実施形態のノートパソコン１は、例えば無線ＬＡＮ通信のためのアンテナモジュールや、ブルーレイディスクやＤＶＤディスクに対応したディスクドライブ、ウェブカメラ素子、音声マイクやスピーカ、その他各種の入出力端子などを備えることができるが、これらの機能や形状は従来周知のノートパソコンと同様であるため、図示および詳細な説明は省略する。
【００２９】
図２は、本実施形態にかかるノートパソコン１の、本体部２０の内部構成を示す分解斜視図である。図２では、本体部２０の内部に配置された各種の電子部品の中でも、動作時に最も温度が高くなる代表的な発熱部品である中央演算素子（ＣＰＵ）２４と、ＣＰＵ２４の熱を本体部２０の外殻を構成する筐体２０ａの外部に放出する放熱ユニット３０の近傍のみを拡大して示している。
【００３０】
図２に示すように、本実施形態のノートパソコン１の本体部２０内部、本体部２０表面に配置されたキーボード２１の下側部分には、ＣＰＵ２４が回路基板２３上に搭載されて配置されている。ＣＰＵ２４の上面には、ＣＰＵ２４の動作時の発熱を放熱ユニット３０に伝達するための受熱部２５が配置されている。受熱部２５は、バネ状の脚部を有する固着部材２６によって、熱源であるＣＰＵ２４に押しつけられるように固着されている。
【００３１】
受熱部２５には、受け取った熱を放熱ユニット３０の放熱体３７に伝達するための、例えば銅製のヒートパイプ２７が接続されている。ヒートパイプ２７内には、例えば熱伝導性の高い代替フロンなどの熱伝導媒体が封入されていて、受熱部２５に伝えられたＣＰＵ２４の熱を効率よく放熱体３７に伝達する。
【００３２】
本実施形態のノートパソコン１では、ＣＰＵ２４の熱を効果的に本体部２０の筐体２０ａ外部に放出させるための放熱ユニット３０として、放熱体３７と、放熱体３７に並んで配置されたファン３１とを有している。ファン３１がファンケース３２の上面に形成された吸入口３２ａから吸入して送風する冷却風が放熱体３７に導入され、放熱体３７に設けられたフィン３７ａの間隙を通って筐体２０ａの外部に放出されることで、放熱体３７からの放熱効果を高めている。放熱体３７とファン３１との間には、ファン３１の動作により生じた冷却風を効果的に放熱体３７の複数のフィン３７ａの間隙部分に導入することができるように、ファン３１と放熱体３７との対向部分の周囲を覆うように接続体３６が配置されている。また、接続体３６の一側面には、放熱体３７のフィン３７ａのファン３１に対向する側の側面３７ｂに送風する補助ファン３５が配置されている。
【００３３】
図３は、本実施形態のノートパソコンにおける放熱ユニット３０の構成を示す図である。
【００３４】
図３では、放熱ユニット３０を構成するファン３１、ファン３１と放熱体３７とを接続する接続部材３６、放熱体３７のそれぞれの詳細な構造を示すために、各部材を、ノートパソコン１の本体部２０におけるキーボード２１が配置された主面に平行な水平面で切断した状態の、水平断面図を示している。
【００３５】
ファン３１は、ファンケース３２の内部に収容された羽根３３が回転軸３４を軸心として回転することで、ファンケース３２の上面に形成された図２に示す吸入口３２ａから周囲の空気を取り込み、放熱体３７側の排気口３２ｂから冷却風として吹き出す。なお、図３では、本実施形態のファン３１として、羽根３３が多数の前向き羽根で構成されたシロッコファンを例示して示したが、ファン３１の全体形状や吸入口３２ａの形状、回転軸３４の周りを回る羽根３３の形状などは例示に過ぎず、ファン３１としては、周囲の空気を吸入口から吸入して排気口から吹き出すことができるものであれば、例示したシロッコファン以外にも従来用いられてきた各種の形態の冷却ファン（放熱ファン）を使用することができる。
【００３６】
本実施形態の放熱ユニットでは、ファン３１のファンケース３２に設けられた排気口３２ｂに密着させて放熱体３７を配置せずに、ファン３１の排気口３２ｂと放熱体３７との間に接続体３６が配置されている。
【００３７】
本実施形態にかかるノートパソコン１の放熱ユニット３０において、接続体３６は、ファン３１のファンケース３２の排気口３２ｂの外周と放熱体３７の外周とを囲む形状となっているため、ファン３１からの冷却風は全て放熱体３７に導入される。この結果、本実施形態のノートパソコン１の放熱ユニット３０では、後述する補助ファン３５が配置されるためにファン３１の排気口３２ａと放熱体３７とが密着して配置されてはいないものの、ファン３１からの冷却風全てを放熱体３７の放熱のために利用することができる。
【００３８】
接続体３６は、図２および図３に示すように略直方体の外形を備えている。ファンケース３２に形成された排気口３２ｂの開口面とこれと対向する放熱体３７の側面との、２つの面に対しての側方に位置する接続体３６の側面、すなわち、フィン３７ａの主面と平行な状態にある接続体３６の２つの側面の内の一方の側面である第１の側面に、補助ファン３５が配置されている。補助ファン３５は、フィン３７ａのファン３１に対向する側面３７ｂに対して側方から送風できる位置に送風口３５ａを備えている。また、補助ファン３５が配置されている接続体３６の第１の側面に対向する他方の側面である第２の側面には、開口部３６ａが配置されている。本実施形態のノートパソコン１の放熱ユニット３０では、接続体３６に形成された開口部３６ａは、シャッターなどで構成されて開閉自在となっている。
【００３９】
放熱体３７は熱伝導性が高い例えば銅などの金属製であり、複数の薄い板状のフィン３７ａの主面が、ファン３１から筐体２０ａの外部に向けて吹き出される冷却風が流れる方向に沿う向きとなるように、かつ、互いに平行に配置されている。放熱体３７の大きさ、特に、ファン３１側から見た外形の幅と高さとは、ファン３１の排気口３２ｂの外形の幅と高さと同じになっている。
【００４０】
放熱体３７のフィン３７ａの間隙を通過した冷却風は、放熱体３７の外形形状に対応させて筐体２０ａにスリットや貫通孔として形成された放出口２８から、筐体２０ａの外部に放出される。
【００４１】
図４は、本実施形態のノートパソコン１の放熱ユニット３０に用いられた補助ファン３５の形状を示す斜視図である。
【００４２】
図４に示したように、本実施形態における補助ファン３５は、偏平な略直方体状の本体３５ｂと、本体３５ｂの一方の主面の中央部分に配置された送風口３５ａと、動作電力を供給する接続配線３５ｃとを備えている。本実施形態の補助ファン３５は、一例として、圧電振動を利用した圧電マイクロファンを用いている。圧電マイクロファンは、本体部内部に配置された板状のブレードと、ブレードを上下から挟み込んで配置された圧電体を備え、圧電体を交互に伸縮させることにより生じた気流を送風口から放出させる。圧電マイクロファンは、その原理上小型低消費電力化が可能であるとともに、高い空気吐出圧（風力）を有するため、フィン３７ａのファン３１に対向する側面３７ｂに付着した塵埃を側方から吹き飛ばして除去することができる。
【００４３】
なお、本実施形態の補助ファンとしては、上記した圧電マイクロファンに限られず、接続体３６の側面に配置することができる大きさと、塵埃を吹き飛ばすために必要とされる風力を備える限りにおいて、いわゆるＤＣファンなどの他の各種ファンを用いることができる。
【００４４】
ファン３１からの冷却風に含まれる塵埃は、冷却風が吹き抜けるフィン３７ａの互いに対向する主面よりも、冷却風が衝突するファン３１に対向する側面３７ｂに、より付着・堆積しやすい。このため、補助ファン３５からの送風をフィン３７ａのファン３１に対向する側面３７ｂの塵埃に対してその側方から吹き付けることで、フィン３７ａに付着した塵埃を効果的に除去することができ、塵埃が堆積してファン３１からの送風がフィン３７ａの隙間に入り込まなくなってしまうことにより生じる放熱効果の低下を防止することができる。
【００４５】
また、本実施形態の冷却ユニット３１では、補助ファン３５が配置された接続体３６の第１の側面に対向する第２の側面に、開閉可能な開口部３６ａを備えている。補助ファン３５の動作に同期させて開口部３６ａを開くことで、補助ファン３５の送風口３５ａから接続体３６内に送り込まれる風の流路（接続体３６からの出口）が確保されるため、補助ファン３５が配置されている側から遠い位置にあるフィン３７ａのファン３１側の側面に堆積した塵埃も、効果的に除去することができる。また、開閉可能な開口部３６ａを設けることで、補助ファン３５が動作していないときには開口部３６ａを閉鎖して、ファン３１からの冷却風が放熱体３７に供給されずに本体部２０内に漏出してしまうことを防止できる。なお、開口部３６ａから接続体３６の外部に放出された塵埃は、筐体２０ａに形成された放出口２８から、本体部２０の外部に放出させることができる。
【００４６】
上記本実施形態では、接続体３６の第２の側面に開閉可能な開口部３６ａを設ける例を示したが、開口部３６ａの開口面積が狭く、ファン３１からの冷却風が放熱体３７に供給されずに本体内に漏出してしまう可能性が小さい場合には、開口部３６ａを開閉可能とする必要はない。例えば、開口部３６ａが常に開口している場合であっても、対向する第１の側面に配置された補助ファン３５からの送風を外部に放出しやすくし、かつ、ファン３１からの冷却風は放熱体３７側に導入しやすくする形状のスリットや衝立等を設けることで、開閉自在とすることによる開口部３６ａの構成の複雑化を回避することもできる。
【００４７】
また、補助ファン３５からの送風でフィン３７ａの側面３７ｂから除去された塵埃は、ファン３１からの送風によってフィン３７ａの間隙を通って放出口２８から本体２０の外部に放出されるため、接続体３６に開口部３６ａを設けること自体も必須のものではない。さらに、上記実施形態では、一つの補助ファン３５を接続体３６の第１の側面に配置する例を示したが、補助ファンからの送風がフィン３７ａのファン３１に対向する側面３７ｂに吹き付けられる構成であれば、補助ファンの配置位置や配置個数は、適宜設計可能なものである。例えば、接続体３６の第２の側面にももう一つの補助ファンを設け、フィン３７ａのファン３１に対向する側面３７ｂに対して、両側方から送風する構成とすることができる。また、接続体３６の上面もしくは下面に１個または複数個の補助ファンを配置して、フィン３７ａの上方もしくは下方からフィン３７ａのファン３１に対向する側面３７ｂに送風を吹き付けて、堆積した塵埃を除去する構成とすることができる。
【００４８】
以上のように、本実施形態のノートパソコン１は、放熱ユニット３０のファン３１と放熱体３７との間に、放熱体３７のフィン３７ａに側方から送風する補助ファン３５を備え、この補助ファン３５からの送風によりフィン３７ａのファン３１に対向する側面に堆積した塵埃を除去することができる。また、本実施形態のノートパソコン１は、ファン３１と放熱体３７との間が、ファン３１からの冷却風を放熱体３７に導入する接続体３６で接続されている。このため、フィン３７ａに付着した塵埃を除去できる機構を備えながら、ファン３１からの送風を効果的に放熱体３７の放熱に利用することができて放熱効率を高く維持できるので、ＣＰＵの能力向上などに起因する発熱部品からの発熱量の増大にも十分に対応することができる。
【００４９】
なお、上記実施の形態では、ファン３１の送風口３２ｂ、放熱体３７のフィン３７ａのファン３１に対向する側面３７ｂの外形形状を、同じ大きさを有する横長の略長方形状としたが、ファン３１の送風口３２ｂと放熱体３７のフィン３１に対向する側面３７ｂの外形形状は長方形には限られず、ファン３１からの送風が効果的に放熱体３７のフィン３７ａの間隙に流入することができればさまざまな形状を採ることができる。そして、ファン３１と放熱体３７とを接続する接続体３６の形状は、ファン３１と放熱体３７の形状に対応して、ファン３１からの冷却風をロスなく放熱体３７に導入できる形状とすることが好ましい。
【００５０】
なお、本実施形態のノートパソコン１において、補助ファン３５を動作させて放熱体に付着した塵埃を除去するタイミングとしては、ＣＰＵ２４の停止時や、ノートパソコン１の本体部２０が水平となるように載置されたとき、さらに、本体部２０に対して蓋部１０が開かれたときなど、ノートパソコン１の動作前後が好ましい。特に、ノートパソコン１の動作直前であれば、補助ファン３５によって除去された塵埃が、ノートパソコン１の動作に伴ってファン３１が動作したときに、放熱体３７に送風される冷却風によって筐体２０ａの外に放出されることか期待できる。
【００５１】
また、上記本実施の形態にかかる電子機器として、本体部に対して内側面に表示デバイスが配置された蓋体が回動可能に固着された形態のノートパソコンを例示して説明したが、本発明の電子機器としてはこのようなノートパソコンに限らず、例えば、タブレット型のパソコンや、携帯電話、携帯用ゲーム機、小型テレビジョン受像器やブルーレイディスプレイヤー、ナビゲーションシステムなどの各種携帯型の電子機器、さらには、デスクトップパソコンや液晶プロジェクタなどの据え置きタイプの各種の電子機器にも使用することができる。
【００５２】
また、上記実施形態においては、動作中に発熱する発熱部品としてＣＰＵを例示して示したが、発熱部品はＣＰＵには限られず、ビデオボードなどの画像処理用の半導体チップや二次電池など、その発熱を筐体の外部に放出すべき各種の発熱部品が対象となりうる。
【００５３】
さらに、上記実施形態では、ＣＰＵからの熱を放熱体に伝達する手段として、ヒートパイプを用いた例を示したが、発熱部品であるＣＰＵに熱伝導性の接着剤を介して直接放熱体を固着することで、発熱部品からの熱を直接的に放熱体に伝達することもできる。
【産業上の利用可能性】
【００５４】
本発明にかかる電子機器は、筐体内の発熱部品からの熱を外部に排出する放熱ユニットとして、放熱体のフィンに付着した塵埃を除去することができるとともに、ファンからの冷却風を効果的に使用することができる高い放熱効果を備えた電子機器として、各種用途に適用することができる。
【符号の説明】
【００５５】
１            ノートパソコン（電子機器）
２０            本体部
２０ａ          筐体
２４            ＣＰＵ（発熱部品）
３０            放熱ユニット
３１            ファン
３５            補助ファン
３６            接続部材
３７            放熱体
３７ａ          フィン
３７ｂ          （ファンに対向する）側面
【図１】
2013250880.tif 000003
【図２】
2013250880.tif 000004
【図３】
2013250880.tif 000005
【図４】
2013250880.tif 000006
【図５】
2013250880.tif 000007